(57)【要約】【課題】携帯電話機をハンズフリーで通話できるようにする。【解決手段】携帯電話機２のスピーカ部Ｓ側の上側ケース２１の表面２１ａの上下２箇所に面状ファスナー１１を接着する。アームヘッド部１２の裏面１３ｂに面状ファスナー１５を接着する。アームヘッド部１２のケース１３内に伸縮性のアーム１４を格納する。アーム１４をケース１３から伸縮自在とする。アームヘッド部１２を携帯電話機２に固着する角度（姿勢）を考慮して、両面状ファスナー１１，１５を貼り合わせる。スピーカ部Ｓが耳の位置に、マイク部Ｍが口の近傍となるようにする。【選択図】　　　図１
2004135026.tif 000002
【特許請求の範囲】
【請求項１】
携帯型の通信装置に取り付けられる通信装置の保持構造であって、
伸縮自在のアームを有するヘッドアーム部と、
前記通信装置のスピーカ部またはマイク部と前記ヘッドアーム部との位置を調整する位置調整部と、
を備えたことを特徴とする通信装置の保持構造。
【請求項２】
前記ヘッドアーム部が前記通信装置に対して回動自在に取り付けられ、該回動軸により前記位置調整部を構成したことを特徴とする請求項１記載の通信装置の保持構造。
【請求項３】
前記ヘッドアーム部の前記アームが、ケースに格納自在で人体頭部に沿って伸縮自在の円弧状の延べ竿構造を有していることを特徴とする請求項１または請求項２記載の通信装置の保持構造。
【発明の詳細な説明】
【０００１】
【発明の属する技術分野】
本発明は、携帯電話機等の携帯型の通信装置を人体頭部に保持するための通信装置の保持構造に関する。
【０００２】
【従来の技術】
従来、携帯電話機にコード式のマイク付きイヤホンを使ってハンズフリーで通話可能にしたものがある。また、円弧状のバンドにより携帯電話機を人体頭部とを挟むことにより該携帯電話機を保持し、ハンズフリーで通話可能にしたものがある。
【０００３】
【特許文献１】
特開２００１−３４６２８７号公報
【特許文献２】
特開２００２−２７０７０号公報
【特許文献３】
特開２００１−３４６２８７号公報
【特許文献４】
特開２００１−３６６２０号公報
【０００４】
【発明が解決しようとする課題】
しかし、前記コード式のマイク付きイヤホンでは、急に掛かってきた電話にでるときなどに、このイヤホン（コード）のセッティングに手間取るという問題がある。すなわち、携帯電話機にジャックを差込み、イヤホンを耳につけ、マイクを襟元に付ける作業が必要である。また、バンドで挟んで携帯電話機を頭部に固定するものでは、電話をするたびに（固定するたびに）携帯電話機の位置（マイクやスピーカの位置）の位置合わせをしなければならないので、手間取るという問題がある。
【０００５】
本発明は、携帯電話機等の通信装置を頭部対して適正な位置に容易に装着できるようにすることを課題とする。
【０００６】
【課題を解決するための手段】
本発明の請求項１の通信装置の保持構造は、伸縮自在のアームを有するヘッドアーム部と位置調整部とを備え、位置調整部により通信装置のスピーカ部またはマイク部とヘッドアーム部との位置を調整できるようにした。これにより、ヘッドアーム部と通信装置との位置関係を予め調整しておけば、電話等が掛かってきたときに、ヘッドアーム部のアームを延ばして該アームを頭部にセットするだけでよい。
【０００７】
本発明の請求項２の通信装置の保持構造のように、請求項１の構成を備え、ヘッドアーム部を通信装置に対して回動自在に取り付け、該回動軸により位置調整部を構成してもよい。これにより、請求項１と同様な作用効果が得られるとともに、ヘッドアーム部を回動するだけで位置調整ができる。
【０００８】
本発明の請求項３の通信装置の保持構造のように、請求項１または請求項２の構成を備え、アームをケースに格納自在で人体頭部に沿って伸縮自在の円弧状の延べ竿構造としてもよい。これにより、請求項１または２と同様な作用効果が得られるとともに、円弧状で頭部にフィットし易いアームとすることができ、さらに、伸縮自在とする構造が簡単になる。
【０００９】
本発明の好適な例として、請求項１記載の構成を備え、前記位置調整部が前記ヘッドアーム部側の貼り合わせ部材と前記通信装置側の張り合わせ部材とで構成され、両張り合わせ部材により、前記ヘッドアーム部を前記通信装置に対して着脱自在に取り付け可能としてもよい。これにより、請求項１と同様な作用効果が得られるとともに、不要なときはヘッドアーム部を取り外すこともできる。また、両張り合わせ面同士が有る程度の面積で接触する範囲であれば、任意の位置でヘッドアーム部と通信装置との位置を調整することができ、調整範囲の自由度が益す。
【００１０】
また、他の好適な例として、請求項３の構成を備え、ケースの前記通信装置と反対側の面をアームの形状に倣った円弧面とするとい。これにより、請求項３と同様な作用効果が得られるとともに、角がなくて引っかかり難いので扱いやすい。
【００１１】
【発明の実施の形態】
以下、図面を参照して本発明の実施形態について説明する。図１は実施形態の通信装置の保持構造（以下、適宜「保持構造」という。）の全体構成を示す斜視図、図２（Ａ）　は同保持構造の正面図、図２（Ｂ）　は平面図であり、この実施形態の保持構造１は通信装置としての携帯電話機２に取り付けられる。携帯電話機２は２つ折りの折り畳み式のものであり、上側ケース２１の上端部近傍にスピーカ部Ｓが配設され、下側ケース２２の下端部近傍にマイク部Ｍが配設されている。そして、上ケース２１の表面２１ａの上下２箇所には、張り合わせ面としての面状ファスナー１１が接着されている。
【００１２】
アームヘッド部１２は円弧面１３ａを有する縦長のケース１３を有し、未使用時にはこのケース１３の内部に伸縮性のアーム１４が格納される。なお、図２はアーム１４をケース１３から引き出した状態を示している。アームヘッド部１２の裏面１３ｂは平面になっており、この裏面１３ｂには、張り合わせ面としての面状ファスナー１５が接着されている。
【００１３】
なお、面状ファスナー１１，１５は、いわゆるタッチ・クローズ型のファスナーであり、一方が、表面に無数の鈎状突起が形成された可撓性を有するのシート状の部材であり、他方が、無数のパイル（輪奈）が扶植された布を張り合わせたシート状の部材である。そして、一方のパイルの面と他方の鉤状突起の面を張り合わせると、鉤状突起がパイルにひっかかり、両部材は付着される。また、両部材をはがすように引っ張れば、主に鉤状突起の先端の弾性変形により、この鉤状突起がパイルから外れて、両部材は剥離できる。
【００１４】
以上の構成により、アームヘッド部１２側の面状ファスナー１５を携帯電話機２側の面状ファスナー１１に貼り合わせることで、アームヘッド部１２は携帯電話機２に固着される。また、携帯電話機２とアームヘッド部１２を引き離せば、取り外すことができる。そし、このアームヘッド部１２を携帯電話機２に固着する角度（姿勢）は、両面状ファスナー１１，１５が貼り合わせることができる範囲内で任意の角度とすることができる。すなわち、この実施形態では面状ファスナー１１，１５が位置調整部を構成している。
【００１５】
図２に示したように、アーム１４は、プラスチック部材（合成樹脂製）の４つの円弧状の軸１４ａ，１４ｂ，１４ｃ，１４ｄ及び先端部の当接部材１４ｅから構成されており、これらの軸１４ａ，１４ｂ，１４ｃ，１４ｄの中心の円弧は同一半径となっている。そして、軸１４ａはケース１３の円弧面１３ａの内側及びガイド１３ｃに沿ってケース１３から引き出したり、ケース１３内に格納できるようになっている。また、同様に、軸１４ｂは軸１４ａに対して、軸１４ｃは軸１４ｂに対して、軸１４ｄは軸１４ｃに対して、それぞれ引き出したり格納したりできるようになっている。これにより、アーム１４は４段式の延べ竿のように伸縮自在となり、ケース１３内に格納したり図２のように引き出したりできる。なお、各軸１４ａ，１４ｂ，１４ｃ，１４ｄは、伸長位置で図示しないストッパにより抜けない構造になっている。
【００１６】
アーム１４は伸長したときの直径が人体の頭部よりわずかに小さくなるように構成され、このアーム１４を頭部に填めたとき、アーム１４の弾性により頭部に固定することができる。なお、アーム１４は弾性を有する金属部材でもよい。また、長さの調整ができるように、アーム１４の軸１４ａ，１４ｂ，１４ｃ，１４ｄ間で弾性による押さえつけの摩擦がでるように形成するとよい。
【００１７】
アーム１４の先端の当接部材１４ｅは軸１４ｄの先端にヒンジ構造により取り付けられており、図２（Ａ）　に実線及び一点鎖線で示したように、角度が自由に可変する機能が設けられている。これにより、頭部側面に点圧力を与えず、面圧力によって装着による不快感を和らげることができる。また、図１に示したように、当接部材１４ｅの外周表面は曲面状になっており、アーム１４をケース１３に格納したときケース１３及び当接部材１４ｅの両者の外周に角が少なくなり、扱いやすく、しかもデザイン的にも優れたものとなっている。
【００１８】
図３は使用状態の一例を示す図であり、図３（Ａ）　に示したように、アーム１４を頭部に装着したときに、携帯電話機２のスピーカ部Ｓが耳の位置になるとともにマイク部Ｍが口の近傍となるように、アームヘッド部１２と携帯電話機２の取り付け位置（角度）を予め決めて、取り付けておく。そして、携帯電話機２を携帯しているときは、アーム１４をケース１３内に格納した状態にしておく。ユーザが電話を受けた後に、またはユーザが電話を掛けるためのダイヤルをした後に、例えば相手との会話に時間がかかると判断したときは、アーム１４を伸ばして頭部に装着する。
【００１９】
なお、図３（Ｂ）　に示したように、アームヘッド部１２を、携帯電話機２に対して角度を付けるとともに、有る程度任意の位置に取り付けることができるので、携帯電話機２の液晶表示器ＤやカメラレンズＥの使用に支障を来すことがない。
【００２０】
なお、携帯電話機２の面状ファスナー１１を貼り付ける面は面接着が可能であるのが理想的であるが、テープの可撓性を利用することで多少の段差や角度のズレは吸収できる。
【００２１】
上記の実施形態では、アームヘッド部１２を面状ファスナー１１，１５で携帯電話機２に着脱自在、及び位置調整可能としているが、図４に示したように、携帯電話機２に対してアームヘッド部１２を回動軸１６で軸支し、アームヘッド部１２の角度を調整できるようにしてもよい。この場合、回動軸１６周りに摩擦抵抗を設けてアームヘッド１２を任意の回動位置で自己保持できるようにする。あるいは、アームヘッド部１２を所定の力で回動できるとともに、微少角度の複数の回動位置でラッチするような機構を設けてもよい。この実施形態では回動軸１６及びその周囲の機構が位置調整部を構成している。
【００２２】
また、実施形態においては、アーム１４は延べ竿のように軸を他の軸に格納できるような構造としたが、複数のリンクで折り畳み式としてもよい。
【００２３】
通信装置としては携帯電話機に限らずＰＨＳやその他の通信装置であってもよい。
【００２４】
なお、ハンズフリーで通話を可能にする技術の参考例として、次のようなものも考えられる。例えば、携帯電話機のスピーカ部側のケースに、人体の耳（耳介）に上から引っかかるような部材を取り付け、携帯電話機毎、耳に掛けてハンズフリーとすることもできる。また、帽子の周囲で耳の位置にメッシュ状の袋を設け、携帯電話機のスピーカ部とマイク部が頭部側となるようにして、この袋内に携帯電話機を収納し、ハンズフリーとすることもできる。
【００２５】
【発明の効果】
本発明の請求項１の通信装置の保持構造によれば、ヘッドアーム部と通信装置との位置関係を予め調整しておけば、電話等が掛かってきたときに、ヘッドアーム部のアームを延ばして該アームを頭部にセットするだけでよい。
【００２６】
本発明の請求項２の通信装置の保持構造によれば、請求項１と同様な効果が得られるとともに、ヘッドアーム部を回動するだけで位置調整ができる。
【００２７】
本発明の請求項３の通信装置の保持構造によれば、請求項１または２と同様な効果が得られるとともに、円弧状で頭部にフィットし易いアームとすることができ、さらに、伸縮自在とする構造が簡単になる。
【図面の簡単な説明】
【図１】本発明の実施形態の通信装置の保持構造の全体構成を示す斜視図である。
【図２】本発明の実施形態の保持構造の正面図及び平面図である。
【図３】本発明の実施形態における使用状態の一例を示す図である。
【図４】本発明の他の実施形態のアームヘッド部を回動軸する例を示す図である。
【符号の説明】
１…保持構造、２…携帯電話機、１１，１５…面状ファスナー、１２…アームヘッド部、１３…ケース、１３ａ…円弧面、１４…アーム、１６…回動軸、Ｓ…スピーカ部、Ｍ…マイク部
【図１】
2004135026.tif 000003
【図２】
2004135026.tif 000004
【図３】
2004135026.tif 000005
【図４】
2004135026.tif 000006